(57)【要約】【課題】  接着剤、釘等を使用せず、簡単な作業によりかつはずれにくく確実に固定できるコーナーパッドを提供する。【解決手段】  壁面の角に面した二つの幅木を接合して幅木の隅部を構成し、二つの幅木の端部側面および上面を被覆するコーナーパッドであって、コーナーパッドの裏側に掛止片２１を突設し、その掛止片２１を取付け部に形成された掛止孔に止着することによって本体を装着する。または、上端または下端の少なくとも一方に、幅木に係止する爪を形成する。【選択図】        図１
0003103745.tif 000002
【実用新案登録請求の範囲】
【請求項１】
壁面の角に面した二つの幅木を接合して幅木の隅部を構成し、二つの幅木の端部側面および上面を被覆するコーナーパッドであって、
コーナーパッドの裏側に掛止片を突設し、その掛止片を取付け部に形成された掛止孔に止着することによって本体を装着する構成としたコーナーパッド。
【請求項２】
壁面の角に面した二つの幅木を接合して幅木の隅部を構成し、二つの幅木の端部側面および上面を被覆するコーナーパッドであって、
上端または下端の少なくとも一方に、幅木に係止する爪を形成したことを特徴とするコーナーパッド。
【請求項３】
前記爪は鉤状に形成されていることを特徴とする請求項２記載のコーナーパッド。
【請求項４】
前記コーナーパッドの裏面には突条が形成され、この突条と幅木の溝が係合することを特徴とする請求項３記載のコーナーパッド。
【請求項５】
前記突条は根元が収束して先が拡幅し、拡幅部分が前記幅木の溝に嵌合することを特徴とする請求項４記載のコーナーパッド。
【請求項６】
前記コーナーパッドをゴム等の柔軟素材で形成したことを特徴とする請求項１〜５いずれか記載のコーナーパッド。
【考案の詳細な説明】
【技術分野】
【０００１】
本考案は、壁面の下端に取り付けられる幅木の隅部に取り付けられるコーナーパッドに関する。
【背景技術】
【０００２】
従来、室内の入隅，出隅における幅木の接合方法としては、幅木の先端に平面視４５°傾斜した突き合わせ面を形成し、両傾斜面を突き合わせた後、留め加工を行うのが一般的であるが、この方法では、幅木を寸法に合わせて正確にカットしなければならず手間がかかるし、仕上がりにムラが生じやすい。また、施工後においても、時間の経過に伴い幅木が反りや撓み等の変形を起こして突き合わせ箇所が開いたり、特に出隅コーナーにおいて隅部がささくれたり一方の幅木の先端が突き出た状態となることが多く、歩行中に靴下やストッキングを引っ掛けて破ったり、特に乳幼児や高齢者が足をぶつけた場合怪我をする蓋然性が高い。
このような問題点を解決するため、最近では、合成樹脂等で成型されたコーナーパッドを設けてこのコーナーパッドで隅部を被覆する施工方法が広く使用されている。これは、幅木の先端を適当にカットした後、コーナーパッドを上から被せるもので、この方法によれば、留め加工や正確な切断加工をすることなく、誰でも簡単に施工が行え、しかも、隅部の外観を美しく仕上げることができる。
このような、コーナーパッドに関する技術として実開平５−７８７９４号公報記載の技術が知られている。
【特許文献１】実開平５−７８７９４号公報
【考案の開示】
【考案が解決しようとする課題】
【０００３】
しかしながら、上述のコーナーパッドは、通常両面テープや接着剤を用いて固定されていたため、以下のような問題を有していた。
(1) 両面テープ等を使用すれば施工が簡単である反面、接着力が弱く、時間が経過するとともに外れやすくなってしまうし、特にコーナーパッドの周縁部分が幅木から浮いた状態となる。これを補うため、テープで貼着した後にコーナーパッドの上からタッカーを打ち込んでいたが、タッカーが露出した状態となってしまうため、見栄えが悪かった。
(2) 接着剤を使用する場合は、接着剤を塗布する際に床や壁、幅木表面を汚さないように作業を慎重に行わなければならず、面倒であった。
本考案は、従来の技術の有するこのような問題点に鑑みてなされたものであり、その目的とするところは、簡単な作業によりかつはずれにくく確実に固定できるコーナーパッドを提供しようとするものである。
【課題を解決するための手段】
【０００４】
前記目的を達成するための手段として、請求項１記載のコーナーパッドでは、壁面の角に面した二つの幅木を接合して幅木の隅部を構成し、二つの幅木の端部側面および上面を被覆するコーナーパッドであって、コーナーパッドの裏側に掛止片を突設し、その掛止片を取付け部に形成された掛止孔に止着することによって本体を装着する構成とした。
請求項２記載のコーナーパッドでは、壁面の角に面した二つの幅木を接合して幅木の隅部を構成し、二つの幅木の端部側面および上面を被覆するコーナーパッドであって、上端または下端の少なくとも一方に、幅木に係止する爪を形成している。
請求項３記載のコーナーパッドでは、請求項２記載のコーナーパッドにおいて、前記爪は鉤状に形成されている。
請求項４記載のコーナーパッドでは、請求項３記載のコーナーパッドにおいて、前記コーナーパッドの裏面には突条が形成され、この突条と幅木の溝が係合する構成とした。
請求項５記載のコーナーパッドでは、請求項４記載のコーナーパッドにおいて、前記突条は根元が収束して先が拡幅し、拡幅部分が前記幅木の溝に嵌合する構成とした。
請求項６記載のコーナーパッドでは、請求項１〜５いずれか記載のコーナーパッドにおいて、前記コーナーパッドをゴム等の柔軟素材で形成されている。
【考案の効果】
【０００５】
本考案は上述のとおり構成されているので、次に記載する効果を奏する。
請求項１記載のコーナーパッドにおいては、コーナーパッドの裏側の掛止片を取付け部に形成された掛止孔に止着することによって本体を装着する構成としたので、接着剤等を用いることなく簡単な作業でもってコーナーパッドを確実に固定できる。
請求項２記載のコーナーパッドにおいては、爪が幅木の上端または下端の少なくとも一方に係止した状態で幅木と一体に取り付け位置に固定されることで幅木と壁あるいは幅木と床との間に挟持された状態となるため、接着剤等を用いることなく簡単な作業でもってコーナーパッドを確実に固定できる。さらに、従来のコーナーパッドと比較して肉薄のものやゴム等の柔軟素材を使用しても上下端縁が幅木から浮き上がらないので、上からタッカー等を打ち付けて浮き上がりを防止する必要がなく外観的にも優れている。
請求項３記載のコーナーパッドにおいては、鉤状に形成された爪が幅木の溝と係合して、コーナーパッドと幅木の固定をより確実にできる。
請求項４および５記載のコーナーパッドにおいては、幅木の溝と係合する突条が形成されているため、コーナーパッドと幅木の固定をより確実にできるとともに、両者の密着度がよりよくなる。
請求項６記載のコーナーパッドにおいては、ゴム等の柔軟素材で形成したので、クッション性に優れ、人が足等をぶつけたときの衝撃を吸収して怪我を防止でき、安全性の高いコーナーパッドを提供することができる。
【考案を実施するための最良の形態】
【０００６】
以下、本考案を実施するための最良の形態を説明する。
【実施例１】
【０００７】
第１実施例に係るコーナーパッドＡは、図１〜図４に示すように、例えば、塩化ビニル樹脂のようなプラスチックを用い、射出成型加工により、厚み０．５〜１．０ｍｍ程度の肉厚を有する左右対称の平面視略Ｌ字形に形成されていて、Ｌ字の内側（図中手前側）が幅木Ｂに取り付けられる裏面となっている。
そして、幅木Ｂの表面形状に沿って上部表面にアールが設けられ、幅木の角部に沿って、被覆する形状となっている。裏面には幅木Ｂの蟻溝４に嵌着可能な蟻形の突条１が水平方向に形成されている。
【０００８】
また、コーナーパッドの屈曲部分の内側には、幅木を切断して形成される陥没部分に収まる凸部が形成されている。この凸部は略四角柱の基部２０と、その基部から突起した掛止片２１によって構成されている。
幅木の先端を施工壁の端に合わせて切断すると、幅木の先端同士の間が陥没した状態となり入隅が形成される。基部２０はこの入隅に収まる形状となっている。
前記掛止片２１は取付け部の掛止孔に嵌り込んでコーナーパッドを止着する部分であり、部分的に左右に片寄って厚く形成されている。すなわち、図２中、右側に厚い右片２２と、その下に連続する左側に厚い左片２３と、さらにその下に連続する右片２４とによって構成されている。
このように、左右の厚さを交互に形成していることにより、合成樹脂の弾力により、溝状の掛止孔に嵌り込んだ後は、掛止片２１が左右に圧着し、掛止片２１が抜けるのを防止する。
尚、この掛止片２１は掛止孔に嵌り込んだ後は外れないように、鉤状に先端を形成してもよい。
また、コーナーパッドの屈曲部分の内側の上端には爪２５が突設されて、取付け部に掛止して外れないようになっている。
【０００９】
従来のコーナーパッドは両面テープ、接着剤等を使用して取り付けていたので、施工時の手間がかかり、また、時間の経過と共に、外れやすいという問題を有していたが、本実施例では掛止片２１が確実に嵌着して、施工が行われる。
尚、掛止片２１と掛止孔の形状としては、コーナーパッドを止着できる構成であれば他の機構を採用することも可能である。
【実施例２】
【００１０】
次に、第２実施例に係るコーナーパッドＣは、図５〜図７に示すように、出隅用の幅木接合部材であり、例えば、塩化ビニル樹脂のようなプラスチックを用い、射出成型加工により、厚み０．５〜１．０ｍｍ程度の肉厚を有する左右対称の平面視略Ｌ字形に形成されていて、Ｌ字の内側（図中手前側）が幅木Ｂに取り付けられる裏面となっている。さらに詳しくは、幅木Ｂの表面形状に沿って上部表面にアールが設けられるとともに、表面の中央やや上方よりの部分は裏面側に曲折し、裏面には幅木Ｂの蟻溝４に嵌着可能な蟻形の突条１が水平方向に形成されている。また、上下の端縁には鉤状に形成された爪部２，３が設けられている。なお、表面側の角は取り付け後の安全性を考慮して丸みを帯びた形状となっている。
前記爪部２は鉛直方向下方に伸びる基部２ａと、この基部２ａの先端に設けられ幅木Ｂの表面側に水平に伸びる先鋭な係止突部２ｂとからなる。また、爪部３は幅木Ｂの裏面側に水平に伸びる基部３ａと、この基部３ａの先端に設けられ鉛直方向上方に伸びる先鋭な係止突部３ｂとからなる。
【００１１】
前記幅木Ｂは、木材、金属、プラスチック、あるいは紙等の硬質素材を用い、厚み７ｍｍ程度の肉厚を有する長尺の板状に形成されている。また、裏面および下面は壁５（壁紙６）および床７に密着するように平坦に形成され、上部表面にはアールが設けられるとともに、表面の中央やや上方寄りの部分には幅木Ｂの長手方向に沿って連続して伸びる凹状の蟻溝４が設けられている。また、裏面の上端と下面の図中右端には、コーナーパッドＣが取り付けられた状態で爪部２，３の係止突部２ｂ，３ｂが係合可能な溝８，９がそれぞれ設けられている。
【００１２】
つぎに、コーナーパッドＣによる幅木Ｂ，Ｂの接合方法を説明する。
まず、取り付け箇所に合わせて幅木Ｂの長さをカットする。このとき、幅木Ｂの端縁が壁面５の角と揃うようにカットする。
幅木Ｂをカットしたら取り付け位置に配置し、蟻溝４に適宜間隔で複数の釘１０を打ち付け固定する。このとき、図６の（イ）に示すように、コーナーパッドＣが取り付けられる幅木Ｂの端部付近は、釘１０を完全に打ち付けてしまわずに、壁５（厳密には壁紙６）との間にある程度の隙間を設けておく。
【００１３】
続いて、コーナーパッドＣ上端側の係止突部２ｂを幅木Ｂの溝８に係合させた後、コーナーパッドＣを撓ませながらもう一方（コーナーパッドＣ下端側）の係止突部３ｂを溝９に係合させると同時に突条１を蟻溝４に嵌着させて幅木Ｂに固定する。なお、先に下端側の係止突部３ｂを溝９に係合させてその後に上端側の係止突部２ｂを溝８に係合させる方法としてもよい。
上記の要領で幅木ＢにコーナーパッドＡを取り付けたら、釘１０を完全に打ち付けて幅木ＢおよびコーナーパッドＣを壁５に密着状態で固定する。図７に幅木ＢおよびコーナーパッドＣを壁５に固着した状態を示す。
【００１４】
図８に入隅用のコーナーパッドＤを示す。これは、上述した幅木Ｂ，Ｂを接合して幅木の入隅部分を構成するものであり、コーナーパッドＣと表裏が逆の構成、すなわち、Ｌ字の外側（図中奥側）が幅木Ｂに取り付けられる裏面となっている。なお、細部の構成，作用はコーナーパッドＣと同様であるため説明は省略する。
【００１５】
以上説明してきたように、本実施の形態のコーナーパッドＣは、上端および下端に爪部２，３を設けてこの爪部２，３を幅木Ｂの裏面および下面に係止させた状態で幅木Ｂと一体に取り付け位置に固定されるため、取り付け後は爪部２，３が幅木Ｂと壁５、および幅木Ｂと床７との間にしっかりと挟持される。よって、シールや接着剤、釘等を用いることなく簡単な作業で確実に固定できる。
さらに、爪部２，３の基部２ａ，３ａ先端に係止突部２ｂ，３ｂを突設し、幅木Ｂに設けた溝８，９とそれぞれ係合させるため、取り付け後に外力が加わっても幅木Ｂから外れることがない。
加えて、コーナーパッドＣの裏面に蟻形の突条１を形成し、この突条１を幅木Ｂの表面に設けた蟻溝４と嵌合させるため、コーナーパッドＣと幅木Ｂとがより強固に固定される。
【実施例３】
【００１６】
第３実施例のコーナーパッドＥは、出隅用の幅木接合部材であり、前記実施例２のコーナーパッドＣとほぼ同一の構成である。以下に実施例２と異なる点のみを説明し、同一の構成部分には同一の符号を付けてその説明を省略する。
図９において、コーナーパッドＥは、柔軟な合成ゴムを使用して平面視略Ｌ字形に成型され、裏面の入隅部分にはクッション部１１が設けられている。また、裏面の左右端縁付近には、蟻形の突条１２，１２が上下方向に突設されている。
前記幅木Ｂ１の表面端縁付近には、前記突条１２，１２が嵌着可能な矩形の溝部１３，１３が凹設されている。なお、幅木Ｂ１はあらかじめ現場搬入前に工場等で施工図等を参照して所定長さにカットしておき、同時に溝部１３を凹設した状態としておく。
【００１７】
コーナーパッドＥによる幅木Ｂ１，Ｂ１の接合方法は、第２実施例のコーナーパッドＣによる幅木Ｂ，Ｂの接合方法とほぼ同じであり、コーナーパッドＡ２の一方の係止突部２ｂ（３ｂ）を幅木Ｂ１の溝８（９）に係合させた後、コーナーパッドＥを撓ませながらもう一方の係止突部３ｂ（２ｂ）を溝９（８）と係合させると同時に、突条１２，１２を溝部１３，１３に嵌着させて幅木Ｂ１に固定するものである。
【００１８】
本実施例のコーナーパッドＥは、合成ゴムで成型されており、さらに、角部にはクッション部１１が設けられているため、歩行者が角に足をぶつけて怪我をすることがなく、隅部の安全性が高められている。
また、コーナーパッドＥでは裏面の左右端縁付近に上下方向に設けられた突条１２，１２と幅木Ｂ１の溝部１３，１３とを嵌着させる構成であるため、合成ゴム等で形成されているにもかかわらず、コーナーパッドＥの左右端縁が幅木Ｂ１から浮いた状態とならずにしっかりと幅木Ｂ１に固定される。
【００１９】
以上、本考案の実施例を説明してきたが、本考案の具体的な構成は本実施例に限定されるものではなく、考案の要旨を逸脱しない範囲の設計変更等があっても本考案に含まれる。
例えば、実施例１，２のコーナーパッドはプラスチックから成型し、第３実施例のコーナーパッドでは合成ゴムを用いた例を示したが、コーナーパッドの素材は可撓性素材または柔軟素材であればよい。加えて、コーナーパッドの肉厚も任意に設定することができる。一方、幅木の材質や形状等も自由に設定可能である。
実施例３では、幅木の表面端縁付近に矩形の溝部を設け、この溝部とコーナーパッドの裏面左右端縁付近に設けた蟻形の突条を嵌着させる構成としたが、これらに代えて、コーナーパッドの裏面に細長い突条を設けておき、現場でのこぎり等を用いて幅木の表面に前記突条が嵌合可能な細長い溝を形成して両者を嵌着させる構成としてもよい。
また、本実施例のコーナーパッドでは、爪の基部先端に係止突部を設け、この係止突部を幅木の溝部に係合させる構成としたが、係止突部を設けずに基部のみの構成としてもよい。
【図面の簡単な説明】
【００２０】
【図１】第１実施例のコーナーパッドの裏面側の斜視図である。
【図２】第１実施例のコーナーパッドの基部の斜視図である。
【図３】掛止片の側面図である。
【図４】コーナーパッドを幅木に取り付けた状態の斜視図である。
【図５】第２実施例のコーナーパッドの裏面側の斜視図である。
【図６】コーナーパッドおよび幅木の断面図である。
【図７】コーナーパッドを幅木に取り付けた状態の斜視図である。
【図８】入隅用コーナーパッドの表面側を示す斜視図である。
【図９】第３実施例のコーナーパッドの裏面側を示す斜視図（イ）、幅木を壁に取り付けた状態を示す斜視図（ロ）である。
【符号の説明】
【００２１】
Ａ，Ｃ，Ｄ，Ｅ  コーナーパッド 
Ｂ，Ｂ１  幅木 
１，１２  突条 
２，３  爪部 
２ａ，３ａ  基部 
２ｂ，３ｂ  係止突部 
４  蟻溝（装飾溝） 
５  壁 
６  壁紙 
７  床 
８，９  溝 
１０  釘 
１１  クッション部 
１３  溝部
２０  基部
２１  掛止片
２２  右片
２３  左片
２４  右片
２５  爪
【図１】
0003103745.tif 000003
【図２】
0003103745.tif 000004
【図３】
0003103745.tif 000005
【図４】
0003103745.tif 000006
【図５】
0003103745.tif 000007
【図６】
0003103745.tif 000008
【図７】
0003103745.tif 000009
【図８】
0003103745.tif 000010
【図９】
0003103745.tif 000011